(57)【要約】【課題】谷桶を流れる雨水を確実に軒樋へ案内する新規で有用な谷樋構造を提供する。【解決手段】傾斜屋根１１の谷部に設けられた谷樋１２を流れる雨水が、該谷樋の下端部から屋根１１の軒先の軒樋１２に向けて伸びるように配置された水切り板１８を経て、軒樋１３内に案内される谷桶構造。水切り板１８の先端部１８ｃが軒樋１２内に向けて曲面状に曲げ加工されている。【選択図】  図２
2004332327.tif 000002
【特許請求の範囲】
【請求項１】
傾斜屋根の谷部に設けられた谷樋を流れる雨水が、該谷樋の下端部から前記屋根の軒先の軒樋に向けて伸びるように配置された水切り板を経て、前記軒樋内に案内される谷桶構造であって、前記水切り板の先端部が軒樋内に向けて曲面状に曲げ加工されていることを特徴とする谷樋構造。
【発明の詳細な説明】
【０００１】
【発明の属する技術分野】
本発明は、屋根の谷桶から屋根の軒先の軒桶に流れる雨水をこの軒樋に確実に案内する谷樋構造に関する。
【０００２】
【従来の技術】
谷桶から軒樋に流れる雨水が飛び跳ねて軒下を汚すことを防止するために、水切り板が谷桶からその下方へ直線状に伸長するように傾斜して配置される（例えば、特許文献１参照。）。このような水切り板は、谷樋の下縁から直線的に軒桶へ向けて伸長することから、谷桶を流れる雨水を軒樋に案内する作用をも担う。
【０００３】
また、雨水が谷桶から軒樋へ流れたときに、この雨水が該軒樋の前耳を越えて軒樋の外に飛び散ることを防止するために、軒樋に雨水を戻すための誘導板を有する水返し壁を設けることが提案されている（例えば、特許文献２参照。）。
【０００４】
【特許文献１】
特開平２−２４０３５４号公報（第２−３頁、第１−２図）
【特許文献２】
特開平１１−２７００７９号公報（第２−３頁、図４）
【０００５】
【発明が解決しようとする課題】
特許文献１に記載された水切り板の雨水の案内作用を高めるために、水切り板に屈曲部を設け、この屈曲部で、水切り板の下部を角度的に斜め下方に折り曲げることが考えられる。しかしながら、多量の雨水が一時に谷樋を流れると、屈曲部が設けられた水切り板では、たとえ軒樋の高さ位置を標準位置よりも下方に変更しても、この多量の雨水を谷樋から軒樋に確実に案内することはできず、谷樋からの多量の雨水が軒樋の前耳を越えて軒樋の外部に放出されてしまう。
【０００６】
また、特許文献２の水返し壁を設けたものにあっても、同様に多量の雨水が一時に谷樋を流れると、この雨水が水返し壁に当たって跳ね返り、鼻隠し板側に飛び出して鼻隠し板の表面を濡らすことになる。
【０００７】
そこで、本発明の目的は、多量の雨水が谷桶を流れても、この雨水を確実に軒樋内に案内し得る新規で有用な谷樋構造を提供することにある。
【０００８】
【課題を解決するための手段】
本発明は、水切り板の雨水の案内作用に着目する。この水切り板の雨水の案内作用は、該水切り板の雨水の案内方向に沿った縦断面形状に大きく依存し、曲線状の滑らかな縦断面形状を水切り板に与えることにより、水切り板に軒樋へ向けての円滑かつ確実な雨水の案内作用を付与することができた。
【０００９】
すなわち、本発明は、傾斜屋根の谷部に設けられた谷樋を流れる雨水が、該谷樋の下端部から前記屋根の軒先の軒樋に向けて伸びるように配置された水切り板を経て、前記軒樋内に案内される谷桶構造であって、前記水切り板の先端部が軒樋内に向けて曲面状に曲げ加工されていることを特徴とする。
【００１０】
本発明に係る谷樋構造では、谷樋から水切り板を流れる雨水は該水切り板の曲部に沿って飛び跳ねることなく円滑に軒樋に案内される。従って、たとえ多量の雨水が一時に谷樋を流れても、軒樋に従来のような水返し壁を設けることなく、また軒樋の取付け高さ位置の変更を招くことなく、確実に雨水を軒樋に案内することができる。
【００１１】
従来の水返し壁は軒樋の前耳から立ち上がることにより、軒樋内に雪を堆積させる壁面として作用することから、積雪地域には不向きである。これに対し、本発明に係る水切り板は、雨水に限らず、雪をもその曲部で順次下方の軒樋へ案内するが、この雪を軒樋内に堆積させる壁面として作用することはない。そのため、本発明に係る谷樋構造は、積雪地域にも好適である。
【００１２】
また、水切り板は、谷樋と一体で形成することができるが、この谷樋と別体に形成し、施工現場で例えば谷樋と該谷樋下の野地板との間に差し込むように配置することにより、施工現場で谷樋に水切り板のための曲部加工を施すことなく、水切り板を適正位置へ差し込むことにより、本発明に係る谷樋構造を適切かつ容易に実現することができる。
【００１３】
【発明の実施の形態】
以下、本発明を図示の実施の形態に沿って詳細に説明する。
【００１４】
図１は、本発明に係る屋根構造を有する家屋１０の一部を示す斜視図である。図１に示す例では、家屋１０の入隅で互いに直交する２つの傾斜した屋根１１（１１ａ、１１ａ）の交線に沿って、谷樋１２が設けられている。屋根１１の軒先には、この軒先に沿って、曲り継手を介して互いに直交する軒樋部分１３ａ、１３ａからなる軒樋１３が配置されている。
【００１５】
図２は図１に示したＩＩ−ＩＩ線に沿って得られる屋根構造の断面を示す。屋根１１は、垂木１４上に配置された下地材である野地板１５と、この野地板１５を覆う屋根材１６とで構成されている。
【００１６】
軒樋１３は、垂木１４の先端に設けられた鼻隠し板１７に沿って配置され、屋根１１の下縁の下方に位置するように、鼻隠し板１７にその一端が固定された樋支持具（図示せず）にて支持されている。
【００１７】
谷樋１２は、従来よく知られているように屋根１１の谷に沿ったＶ字状断面を有し、図２に示すように、野地板１５と屋根材１６との間に配置されている。また、谷樋１２の先端部すなわち下縁には、該谷樋と野地板１５との間に、水切り板１８が挿入されている。さらに、図示の例では、水切り板１８と野地板１５との間に屋根水切り１９が挿入されている。
【００１８】
屋根水切り１９は、野地板１５の先端から角度的に斜め下方の軒樋１３内に直線的に伸長する。この屋根水切り１９は、従来よく知られているように、谷樋１２を流れる雨水の一部が鼻隠し板１７に沿って流れることを防止する。
【００１９】
野地板１５と谷樋１２との間に挿入された水切り板１８は、例えば亜鉛メッキ鋼板などの金属板で形成されており、図３ないし図５に示すように、一対の矩形平面部１８ａを備える。両矩形平面部１８ａは、互いに共同して谷樋１２のＶ字断面形状に一致するＶ字断面を構成するように、互いの内縁を連続させて形成されている。両矩形平面部１８の外縁には、補強のための折返し部１８ｂが形成されている。
【００２０】
水切り板１８は、その一端が屋根材１６の下縁から突出するように、他端から野地板１５谷樋１２との間に挿入されている。図２に明確に示されているように、屋根材１６から突出する水切り板１８の前記一端には、水切り板１８の長手方向に沿った縦断面で見て、その下縁を下方に向ける円弧状の曲部１８ｃが形成されている。曲部１８ｃは、曲率半径Ｒで５〜５０ｍｍ、好ましくは７〜３０ｍｍとするのがよい。
【００２１】
水切り板１８は、その一端に形成された曲部１８ｃが屋根水切り１９の上方を覆うようにかつ屋根１１の軒下で曲部１８ｃの下縁が軒樋１３の底部へ向けられるように、配置されている。
【００２２】
この水切り板１８は、谷樋１２を流れる雨水をその曲部１８ｃに沿って飛び跳ねることなく円滑に軒樋１３内に案内する作用をなす。この水切り板１８の曲部１８ｃの案内作用により、軒樋１３の標準取付け位置からの上下方向への変更の如何に限らず、たとえ多量の雨水が一時に谷樋１２に流れ込んでも、この谷樋１２に流れる雨水は確実に軒樋１３内に導かれる。
【００２３】
水切り板１８下の屋根水切り１９を不要とすることができるが、雨水が鼻隠し板１７に流れることを防止し、雨水によって鼻隠し板１７が汚れることを防止するために、屋根水切り１９を設けることが望ましい。
【００２４】
本発明に係る軒樋構造によれば、曲部１８ｃが形成された水切り板１８を施工現場で野地板１５と谷樋１２との間に差し入れることにより、軒樋構造に組み付けることができる。そのため、現場で谷樋１２に加工を施す必要がなく、谷樋１２を流れる多量の雨水が確実に軒樋１３に案内される軒樋構造を実現することができる。
【００２５】
また、本発明によれば、水切り板１８の曲部１８ｃの雨水案内作用により、谷樋１２を流れる雨水を確実に軒樋１３に案内できるので、軒樋１３の前耳に雪害を招く従来のような水返し壁を設ける必要はなく、積雪地域にも好適に適用することができる。
【００２６】
前記したところでは、曲部１８ｃが形成された水切り板１８を金属板により形成した例について説明したが、本発明に係る水切り板１８は、例えば合成樹脂材料で形成することができる。
【００２７】
【発明の効果】
本発明によれば、前記したように、谷樋から水切り板を流れる雨水を飛び跳ねることなく円滑に軒樋に案内することができ、たとえ多量の雨水が一時に谷樋を流れても、軒樋に従来のような水返し壁を設けることなく、また軒樋の取付け高さ位置の変更を招くことなく、確実に雨水を軒樋に案内することができる。
【図面の簡単な説明】
【図１】本発明に係る家屋の谷樋構造を部分的に示す斜視図である。
【図２】図１に示したＩＩ−ＩＩ線に沿って得られた断面図である。
【図３】図１および図２に示した水切り板の斜視図である。
【図４】図３に示した水切り板の平面図である。
【図５】図３に示した水切り板の側面図である。
【符号の説明】
１１  屋根
１２  谷樋
１３  軒樋
１８  水切り板
１８ｃ  水切り板の曲部（先端部）
【図１】
2004332327.tif 000003
【図２】
2004332327.tif 000004
【図３】
2004332327.tif 000005
【図４】
2004332327.tif 000006
【図５】
2004332327.tif 000007